(57)【要約】【課題】単純な構成により開口率をアップさせつつ、にじみの発生を防止して高画質の映像を表示する。【解決手段】複数行及び複数列に複数配置された赤色、緑色、青色のサブ画素１０のうち、隣接する赤色、緑色、青色の３色のサブ画素１０を１画素１５として構成した複数の画素１５に映像を表示するＬＣＤ５を備える。画素１５は、３色のサブ画素１０の配置形状がＬ字形状又は逆Ｌ字形状を呈し、行方向に隣接する逆Ｌ字形状又はＬ字形状の画素１５と矩形を形成する。【選択図】図２
2007102004.tif 000002
【特許請求の範囲】
【請求項１】
赤色、緑色、青色のサブ画素のそれぞれが複数行及び複数列に複数配置され、隣接する赤色、緑色、青色の３色のサブ画素を１画素として複数の画素を構成し、受信した映像を表示する出力手段を備えた液晶表示装置において、
前記画素は、前記３色のサブ画素の配置形状がＬ字形状又は逆Ｌ字形状を呈し、行方向に隣接する逆Ｌ字形状又はＬ字形状の画素と矩形を形成し、列方向に隣接する画素に対して行方向に所定量だけずれて配置され、
前記赤色、緑色、青色のサブ画素のそれぞれは、行方向及び列方向において互いに異なる色のサブ画素に隣接していることを特徴とする表示装置。
【請求項２】
赤色、緑色、青色のサブ画素のそれぞれが複数行及び複数列に複数配置され、隣接する赤色、緑色、青色の３色のサブ画素を１画素として複数の画素を構成し、受信した映像を表示する出力手段を備えた液晶表示装置において、
前記画素は、前記３色のサブ画素の配置形状がＬ字形状又は逆Ｌ字形状を呈し、行方向に隣接する逆Ｌ字形状又はＬ字形状の画素と矩形を形成することを特徴とする表示装置。
【請求項３】
前記赤色、緑色、青色のサブ画素のそれぞれは、行方向及び列方向において互いに異なる色のサブ画素に隣接していることを特徴とする請求項２に記載の表示装置。
【請求項４】
前記画素は、列方向に隣接する画素に対して行方向に所定量だけずれて配置されていることを特徴とする請求項１又は２に記載の表示装置。
【発明の詳細な説明】
【技術分野】
【０００１】
この発明は、液晶テレビやプラズマテレビ等の映像を表示する表示装置に関する。
【背景技術】
【０００２】
液晶テレビやプラズマテレビ等の映像を表示する表示装置は、複数の画素が形成され、テレビ放送信号等に基づく映像を表示する。１画素は、赤色（Ｒ），緑色（Ｇ），青色（Ｂ）の３色のサブ画素から構成されている。サブ画素は、ストライプ型配列やモザイク型配列等があり、行方向、列方向に複数配置されている。通常、行方向に隣接するＲ，Ｇ，Ｂのサブ画素を１画素として映像を表示する（例えば、特許文献１参照）。
【０００３】
また、上述の表示装置には、モザイク型配列のＲ，Ｇ，Ｂの画素のそれぞれを１画素として表示を行う構成のものもある（例えば、特許文献２参照。）。
【特許文献１】特開２００４−３１７７２６号公報
【特許文献２】特開２００４−１０２２９２号公報
【発明の開示】
【発明が解決しようとする課題】
【０００４】
しかしながら、特許文献１等に記載された行方向に隣接する３色のサブ画素を１画素とする表示装置のうち、ストライプ型配列のサブ画素の構成では開口率が十分ではなく、またモザイク型配列のサブ画素の構成ではストライプ型配列に比較して開口率がアップするものの、表示された映像におけるエッジ部分ににじみが生じてしまう。このにじみは、ストライプ型配列に比べてモザイク型配列の方がＲ，Ｇ，Ｂのサブ画素の行方向のサイズが長く、１画素の行方向のサイズが長くなるために生じる。
【０００５】
つまり、１画素あたりの行方向のサイズが長いと、構成した画素に表示された映像が視聴者に認識されず、１画素を構成するサブ画素の一部と、この画素に隣接する画素を構成するサブ画素の一部とから構成された映像が視聴者に認識され、視聴者にエッジ部分が明確に認識されない状態となるからである。なお、モザイク型配列における１画素の行方向のサイズは、ストライプ型配列の２画素分の行方向のサイズに相当する。
【０００６】
この発明の目的は、単純な構成により開口率をアップさせつつ、にじみの発生を防止して高画質の映像を表示することができる表示装置を提供することにある。
【課題を解決するための手段】
【０００７】
この発明は、上記課題を解決するために以下の構成を備えている。
【０００８】
（１）赤色、緑色、青色のサブ画素のそれぞれが複数行及び複数列に複数配置され、隣接する赤色、緑色、青色の３色のサブ画素を１画素として複数の画素を構成し、受信した映像を表示する出力手段を備えた液晶表示装置において、
前記画素は、前記３色のサブ画素の配置形状がＬ字形状又は逆Ｌ字形状を呈し、行方向に隣接する逆Ｌ字形状又はＬ字形状の画素と矩形を形成することを特徴とする。
【０００９】
この構成においては、配置形状がＬ字形状又は逆Ｌ字形状を呈するような隣接する赤色，緑色，青色の３色のサブ画素が１画素として構成され、映像が表示される。また、Ｌ字形状又は逆Ｌ字形状の画素が行方向に隣接する逆Ｌ字形状又はＬ字形状の画素とで矩形が形成される。２画素で形成される矩形は、行方向のサイズが従来のストライプ型配列のサブ画素で形成される２画素の行方向のサイズと等しくなるので、１画素の行方向のサイズが従来のモザイク型配列における行方向に隣接するサブ画素で構成された１画素の行方向のサイズよりも短くなる。
【００１０】
したがって、１画素を構成するサブ画素が行方向に長くなりすぎず、単純な構成でにじみの発生を防止でき、高画質化を図ることができる。また、ストライプ型配列に比べてサブ画素の開口率が大きくなるので高輝度化を図ることができる。
【００１１】
（２）前記赤色、緑色、青色のサブ画素のそれぞれは、行方向及び列方向において互いに異なる色のサブ画素に隣接していることを特徴とする。
【００１２】
この構成においては、行方向及び列方向において異なる色のサブ画素が隣接するように赤色、緑色、青色のサブ画素が複数配置されている。同色のサブ画素が行方向又は列方向に隣接すると、隣接した色の強みが増してしまうが、同色のサブ画素が行方向及び列方向に隣接することがないので、特定の色の強みが増すことを防止でき、より高画質化を図ることができる。
【００１３】
（３）前記画素は、列方向に隣接する画素に対して行方向に所定量だけずれて配置されていることを特徴とする。
【００１４】
この構成においては、Ｌ字形状又は逆Ｌ字形状の画素が、列方向に隣接するＬ字形状又は逆Ｌ字形状の画素に対して所定量だけずれて配置されている。したがって、表示された映像のエッジ部分にギザギザ感が生じるのを解消し、より滑らかな映像を表示することができる。
【発明の効果】
【００１５】
この発明によれば、単純な構成により開口率をアップさせつつ、にじみの発生を防止して高画質化を図ることができる。
【発明を実施するための最良の形態】
【００１６】
以下、この発明の実施形態に係る表示装置を適用した液晶テレビについて説明する。
【００１７】
図１は、この発明の実施形態に係る液晶テレビの主要部の構成を示すブロック図である。液晶テレビ１は、装置本体の動作を制御する制御部２と、選択されているチャンネルのテレビ放送信号を図示しないアンテナを介して受信したテレビ放送信号から抽出し、出力するチューナ３と、該チューナ３が出力したテレビ放送信号に基づく映像をＬＣＤ（Liquid Crystal Display）５に表示させる映像処理部４と、該チューナ３が出力したテレビ放送信号に基づく音声をスピーカ７から出力する音声処理部６と、を備えている。
【００１８】
また、液晶テレビ１は、図示しないリモコンから送信されてきた制御コマンドを受信する図示しないリモコン受信部等も備えている。映像処理部４及びＬＣＤ５がこの発明の出力手段に相当する。
【００１９】
制御部２は、リモコン受信部で受信した制御コマンドに応じて、電源のオン／オフ、チャンネルの切換、音量のアップ／ダウン等を制御する。映像処理部４は、テレビの映像以外にＤＶＤ再生装置５０等の画像出力装置から送信される映像をＬＣＤ５に表示させる。
【００２０】
図２は、この発明の実施形態に係る液晶テレビ１の画素の配列の一部を示す説明図である。ＬＣＤ５には、同図に示すように赤色（Ｒ），緑色（Ｇ）、青色（Ｂ）のフィルタを有するサブ画素１０が形成され、行方向及び列方向に複数配置されている。各色のサブ画素５１は、同一の形状であり、行方向及び列方向に繰り返し配置されている。
【００２１】
また、ＬＣＤ５は、隣接するＲ，Ｇ，Ｂの３色のサブ画素１０を１つの画素１５とし、受信した映像を表示する。画素１５は、Ｌ字形状、逆Ｌ字形状を呈し、行方向に隣接する画素１５と２行×３列の矩形を形成する。この２画素分の２行×３列の矩形の面積は、図５に示す従来のストライプ型配列の行方向の２画素分の面積及び形状に等しい。
【００２２】
映像処理部４は、公知のＩ（interlace）／Ｐ（progressive）変換回路（図示せず）を有し、チューナ３から送信されたインターレース方式の信号をプログレッシブ方式の信号に変換した後、対応する画素１５に映像を表示させる。また、ＤＶＤ再生装置５０等から送信されるプログレッシブ方式の信号は、Ｉ／Ｐ変換を行わず、対応する画素１５に映像を表示する。
【００２３】
以上のように、Ｌ字形状又は逆Ｌ字形状を呈するようにＲ，Ｇ，Ｂの３色のサブ画素１０を１画素１５とし、行方向に隣接する画素１５とを矩形を形成することで、２画素１５で形成される矩形は、行方向のサイズが従来のストライプ型配列のサブ画素で形成される２画素の行方向のサイズと等しくなるので、１画素１５の行方向のサイズを従来のモザイク型配列における行方向に隣接するサブ画素で構成された１画素の行方向のサイズよりも短くできる。
【００２４】
これにより、１画素１５を構成するサブ画素１０が行方向に長くなりすぎず、単純な構成でにじみの発生を防止でき、高画質化を図ることができる。また、ストライプ型配列に比べてサブ画素１０の開口率が大きくなるので高輝度化を図ることができる。なお、Ｒ，Ｇ，Ｂのサブ画素１０の並び順は、図２に示す構成に限定されるものではない。
【００２５】
本実施形態では、図２に示すように、行方向及び列方向において異なる色のサブ画素１０が隣接するように赤色、緑色、青色のサブ画素１０が複数配置されている。同色のサブ画素１０が行方向又は列方向に隣接すると、隣接した色の強みが増してしまうが、同色のサブ画素１０が行方向及び列方向に隣接することがないので、特定の色の強みが増すことを防止でき、より高画質化を図ることができる。
【００２６】
なお、本実施形態では、図２に示すようにＬ字形状及び逆Ｌ字形状の画素１５が列方向に隣接する画素１５と同形状となるように構成されているが特にこれに限定されるものではなく、列方向に隣接する画素１５の配置位置を行方向に所定量だけずらした構成でもよい。例えば、図３に示すように、隣接する画素１５同士の配置位置を行方向に１サブ画素分ずらした構成がある。
【００２７】
これによって、表示された映像のエッジ部分にギザギザ感が生じるのを解消し、より滑らかな映像を表示することができる。また、図４に示すように、行方向に半サブ画素分ずらしても同様の効果を奏することができる。
【００２８】
なお、本実施形態では液晶テレビ１を用いて説明しているが、プラズマテレビに適用しても上述と同様の効果を奏することができる。
【図面の簡単な説明】
【００２９】
【図１】この発明の実施形態に係る液晶テレビの主要部の構成を示すブロック図である。
【図２】同液晶テレビの画素の配列の一部を示す説明図である。
【図３】同液晶テレビの画素の配列の一部を示す説明図である。
【図４】同液晶テレビの画素の配列の一部を示す説明図である。
【図５】従来のストライプ型の画素配列を示す説明図である。
【符号の説明】
【００３０】
１−液晶テレビ
２−制御部
４−映像処理部
５−ＬＣＤ
１０−サブ画素
１５−画素
【図１】
2007102004.tif 000003
【図２】
2007102004.tif 000004
【図３】
2007102004.tif 000005
【図４】
2007102004.tif 000006
【図５】
2007102004.tif 000007